【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
ユーザ機器(UE)において受信されるデータを処理する方法であって、
レイヤ1復号されたプロトコルデータユニット(PDU)のPDU固有のレイヤ1復号メトリックを決定するステップと、
シンボルエラーレートとエネルギーメトリックの1つまたは両方の重み付けられた積を使用した1つまたは複数の算術演算を実行するステップであって、前記シンボルエラーレートおよび前記エネルギーメトリックが前記レイヤ1復号されたPDUと関連付けられる、ステップと、
前記PDU固有のレイヤ1復号メトリックに基づいて、前記レイヤ1復号されたPDUのレイヤ2復号を実行するかどうかを判断するステップと
を備える、方法。
【請求項２】
前記PDU固有のレイヤ1復号メトリックを決定するステップが、
前記シンボルエラーレート、または前記エネルギーメトリック、またはゼロ状態ビット値、またはqビット値の1つまたは複数に少なくとも一部基づいて決定するステップをさらに含み、前記シンボルエラーレート、前記エネルギーメトリック、前記ゼロ状態ビット値、および前記qビット値が、前記レイヤ1復号されたPDUと関連付けられる、請求項1に記載の方法。
【請求項３】
レイヤ1デコーダメトリックしきい値を取得するステップと、
前記PDU固有のレイヤ1復号メトリックを前記レイヤ1デコーダメトリックしきい値と比較することに基づいて前記レイヤ1復号されたPDUの信頼性レベル値を決定するステップと
をさらに含み、
前記レイヤ2復号を実行するかどうか判断するステップが、前記信頼性レベル値に少なくとも一部基づく、請求項1に記載の方法。
【請求項４】
前記レイヤ1デコーダメトリックしきい値が、前記レイヤ1復号されたPDUの前記レイヤ2復号のための復号エラー許容レベルを示す、請求項3に記載の方法。
【請求項５】
前記信頼性レベル値を決定するステップが、許容可能な信頼性レベル値を決定するステップをさらに含み、前記許容可能な信頼性レベル値を決定するステップに基づいて前記レイヤ1復号されたPDUの前記レイヤ2復号を実行するステップをさらに含む、請求項3に記載の方法。
【請求項６】
前記信頼性レベル値を決定するステップが、許容不可能な信頼性レベル値を決定するステップをさらに含み、前記許容不可能な信頼性レベル値を決定するステップに基づいてレイヤ2リセットを実行するステップを含む、請求項3に記載の方法。
【請求項７】
前記PDU固有のレイヤ1復号メトリックを決定するステップが、複数のPDU固有のレイヤ1復号メトリックを決定するステップをさらに含み、
前記レイヤ1デコーダメトリックしきい値を取得するステップがさらに、複数のレイヤ1デコーダメトリックしきい値を取得するステップを備え、
前記レイヤ1復号されたPDUの前記信頼性レベル値を決定するステップがさらに、前記複数のPDU固有のレイヤ1復号メトリックの各々を前記複数の前記レイヤ1デコーダメトリックしきい値の対応する1つと比較することに基づく、請求項3に記載の方法。
【請求項８】
前記レイヤ1デコーダメトリックしきい値を取得するステップが、前記レイヤ1デコーダメトリックしきい値の値を設定する、ネットワークエンティティからの入力を受信するステップをさらに含む、請求項3に記載の方法。
【請求項９】
前記レイヤ1デコーダメトリックしきい値を取得するステップが、前記レイヤ1デコーダメトリックしきい値を決定するステップをさらに含む、請求項3に記載の方法。
【請求項１０】
前記レイヤ1デコーダメトリックしきい値を決定するステップがさらに、以前に処理されたレイヤ1復号されたPDUの以前のPDU固有のレイヤ1復号メトリックと、
巡回冗長検査ビット、
前記レイヤ1復号されたPDUに対応する送信時間間隔、
前記UEのアクティブセット中のセルの数、
前記レイヤ1復号されたPDUが受信されたチャネルのチャネル条件、または、
前記レイヤ1復号されたPDUが受信されたチャネルの階級
を有する、先行して処理されたレイヤ1復号されたトランスポートブロックの先行するPDU固有のレイヤ1復号メトリックと
の少なくとも1つに基づいて決定するステップをさらに含む、請求項9に記載の方法。
【請求項１１】
前記レイヤ1デコーダメトリックしきい値を取得するステップが、
静的な値、
動的な値、または
ヒステリシスに基づく変化を有する動的な値
の1つまたは複数を取得するステップを含む、請求項3に記載の方法。
【請求項１２】
前記レイヤ1復号されたPDUがレイヤ1エラー検査に合格したことを示すエラー検査情報を受信するステップをさらに含み、
前記レイヤ1復号されたPDUの前記レイヤ2復号を実行するかどうか判断するステップが、前記レイヤ1エラー検査に合格したものとして示された前記レイヤ1復号されたPDUのレイヤ2復号を防ぐと判断するステップを含む、請求項1に記載の方法。
【請求項１３】
レイヤ1エンティティにおいて、前記レイヤ1復号されたPDUが有効であると判断するステップをさらに含み、
前記レイヤ1復号されたPDUの前記レイヤ2復号を実行するかどうか判断するステップが、有効であるものとして判断された前記レイヤ1復号されたPDUのレイヤ2復号を防ぐと判断するステップをさらに含む、請求項1に記載の方法。
【請求項１４】
通信のためのコンピュータ実行可能コードを記憶した非一時的コンピュータ可読記録媒体であって、
レイヤ1復号されたプロトコルデータユニット(PDU)のPDU固有のレイヤ1復号メトリックを決定するためのコードと、
シンボルエラーレートとエネルギーメトリックの1つまたは両方の重み付けられた積を使用した1つまたは複数の算術演算を実行するためのコードであって、前記シンボルエラーレートおよび前記エネルギーメトリックが前記レイヤ1復号されたPDUと関連付けられる、コードと、
前記PDU固有のレイヤ1復号メトリックに基づいて、前記レイヤ1復号されたPDUのレイヤ2復号を実行するかどうかを判断するためのコードと
を備える、非一時的コンピュータ可読記録媒体。
【請求項１５】
通信のための装置であって、
レイヤ1復号されたプロトコルデータユニット(PDU)のPDU固有のレイヤ1復号メトリックを決定するための手段と、
シンボルエラーレートとエネルギーメトリックの1つまたは両方の重み付けられた積を使用した1つまたは複数の算術演算を実行するための手段であって、前記シンボルエラーレートおよび前記エネルギーメトリックが前記レイヤ1復号されたPDUと関連付けられる、手段と、
前記PDU固有のレイヤ1復号メトリックに基づいて、前記レイヤ1復号されたPDUのレイヤ2復号を実行するかどうかを判断するための手段と
を備える、装置。
【請求項１６】
通信のための装置であって、
少なくとも1つのプロセッサと、
前記少なくとも1つのプロセッサに接続されたメモリと、
を備え、前記少なくとも1つのプロセッサは、
レイヤ1復号されたプロトコルデータユニット(PDU)のPDU固有のレイヤ1復号メトリックを決定し、
シンボルエラーレートとエネルギーメトリックの1つまたは両方の重み付けられた積を使用した1つまたは複数の算術演算を実行し、
前記PDU固有のレイヤ1復号メトリックに基づいて、前記レイヤ1復号されたPDUのレイヤ2復号を実行するかどうかを判断する
ように構成され、
前記シンボルエラーレートおよび前記エネルギーメトリックが前記レイヤ1復号されたPDUと関連付けられる、
装置。
【請求項１７】
前記PDU固有のレイヤ1復号メトリックを決定するために、前記少なくとも1つのプロセッサはさらに、前記シンボルエラーレート、または前記エネルギーメトリック、またはゼロ状態ビット値、またはqビット値の1つまたは複数に少なくとも一部基づいて決定するように構成され、前記シンボルエラーレート、前記エネルギーメトリック、前記ゼロ状態ビット値、および前記qビット値が、前記レイヤ1復号されたPDUと関連付けられる、請求項16に記載の装置。
【請求項１８】
前記少なくとも1つのプロセッサがさらに、
レイヤ1デコーダメトリックしきい値を取得し、
前記PDU固有のレイヤ1復号メトリックを前記レイヤ1デコーダメトリックしきい値と比較することに基づいて前記レイヤ1復号されたPDUの信頼性レベル値を決定するように構成され、
前記レイヤ2復号を実行するかどうかを判断することは、前記信頼性レベル値に少なくとも一部基づく、請求項16に記載の装置。
【請求項１９】
前記レイヤ1デコーダメトリックしきい値が、前記レイヤ1復号されたPDUの前記レイヤ2復号のための復号エラー許容レベルを示す、請求項18に記載の装置。
【請求項２０】
前記信頼性レベル値を決定するために、前記少なくとも1つのプロセッサがさらに、許容可能な信頼性レベル値を決定するように構成され、前記プロセッサがさらに、前記許容可能な信頼性レベル値を決定したことに基づいて前記レイヤ1復号されたPDUの前記レイヤ2復号を実行するように構成される、請求項18に記載の装置。
【請求項２１】
前記信頼性レベル値を決定するために、前記少なくとも1つのプロセッサがさらに、許容不可能な信頼性レベル値を決定するように構成され、
前記プロセッサがさらに、前記許容不可能な信頼性レベル値を決定したことに基づいてレイヤ2リセットを実行するように構成される、請求項18に記載の装置。
【請求項２２】
前記PDU固有のレイヤ1復号メトリックを決定するために、前記少なくとも1つのプロセッサがさらに、複数のPDU固有のレイヤ1復号メトリックを決定するように構成され、
前記レイヤ1デコーダメトリックしきい値を取得するために、前記少なくとも1つのプロセッサがさらに、複数のレイヤ1デコーダメトリックしきい値を取得するように構成され、
前記レイヤ1復号されたPDUの前記信頼性レベル値を決定するために、前記少なくとも1つのプロセッサがさらに、前記複数のPDU固有のレイヤ1復号メトリックの各々を前記複数の前記レイヤ1デコーダメトリックしきい値の対応する1つと比較するように構成される、請求項18に記載の装置。
【請求項２３】
前記レイヤ1デコーダメトリックしきい値を取得するために、前記少なくとも1つのプロセッサがさらに、前記レイヤ1デコーダメトリックしきい値の値を設定する、ネットワークエンティティからの入力を受信するように構成される、請求項18に記載の装置。
【請求項２４】
前記レイヤ1デコーダメトリックしきい値を取得するために、前記少なくとも1つのプロセッサがさらに、前記レイヤ1デコーダメトリックしきい値を決定するように構成される、請求項18に記載の装置。
【請求項２５】
前記レイヤ1デコーダメトリックしきい値決定することが、
以前に処理されたレイヤ1復号されたPDUの以前のPDU固有のレイヤ1復号メトリック、
巡回冗長検査ビットを有する、先行して処理されたレイヤ1復号されたトランスポートブロックの先行するPDU固有のレイヤ1復号メトリック、
前記レイヤ1復号されたPDUに対応する送信時間間隔、
UEのアクティブセット中のセルの数、
前記レイヤ1復号されたPDUが受信されたチャネルのチャネル条件、または
前記レイヤ1復号されたPDUが受信されたチャネルの階級
の少なくとも1つに基づいて決定することをさらに含む、請求項24に記載の装置。
【請求項２６】
前記レイヤ1デコーダメトリックしきい値を取得するために、前記少なくとも1つのプロセッサがさらに、静的な値、または動的な値、またはヒステリシスに基づく変化を有する動的な値の1つまたは複数を取得するように構成される、請求項18に記載の装置。
【請求項２７】
前記少なくとも1つのプロセッサがさらに、
前記レイヤ1復号されたPDUがレイヤ1エラー検査に合格したことを示すエラー検査情報を受信するように構成され、
前記レイヤ1復号されたPDUの前記レイヤ2復号を実行するかどうか判断するために、前記少なくとも1つのプロセッサがさらに、前記レイヤ1エラー検査に合格したものとして示された前記レイヤ1復号されたPDUのレイヤ2復号を防ぐと判断するように構成される、
請求項16に記載の装置。
【請求項２８】
前記少なくとも1つのプロセッサがさらに、
レイヤ1エンティティにおいて、前記レイヤ1復号されたPDUが有効であると判断するように構成され、
前記レイヤ1復号されたPDUの前記レイヤ2復号を実行するかどうか判断するために、前記装置がさらに、有効であるものとして判断された前記レイヤ1復号されたPDUのレイヤ2復号を防ぐように構成される、請求項16に記載の装置。